(57)【要約】【課題】ハウジングに配線板状部材が差し込まれるコネクタ装置であって、ハウジング内に形成されるべきスペースを制限してハウジングの厚み寸法を低減することができ、それにより薄型化あるいは低背化を効果的に図ることができるものを提供する。【解決手段】ハウジング１１に差し込まれたフレキシブル印刷配線基板１４（配線板状部材）に対する係止と係止解除とを行う係合部材１７が、配線板状部材を部分的に押圧変位させる当接押圧部分３０と、配線板状部材を係止する係止部分３１と、移動操作を受けて変位する操作部分とが形成されて成り、係止部分が配線板状部材を係止したもとで、操作部分に移動操作が加えられたとき、当接押圧部分が配線板状部材における係合部が形成された部分を第１の方向に押圧変位させるとともに、係止部分が第１の方向とは逆の第２の方向に移動して配線板状部材における係合部との係合を解除する。【選択図】図１６
2014179300.tif 000002
【特許請求の範囲】
【請求項１】
板状部材差込み部が設けられて配線基板上に配されるハウジングと、
該ハウジングに配列配置されて設けられ、上記配線基板に設けられた配線端子に連結される状態をとり、上記ハウジングに上記板状部材差込み部を通じて差し込まれた配線板状部材における複数の接触端子部に接触接続される複数のコンタクトと、
上記ハウジングに設けられ、配線板状部材が上記ハウジングに上記板状部材差込み部を通じて差し込まれたとき、該配線板状部材に対する係合係止を行う係止状態と上記係合係止を解除する係止解除状態とを選択的にとる係合部材と、
を備えて構成され、
上記係合部材が、上記ハウジングに固定される基部と該基部から伸びる可動部とを有していて、該可動部に、上記ハウジングに差し込まれた配線板状部材に当接して該配線板状部材を部分的に押圧変位させる当接押圧部分と、上記配線板状部材の上記ハウジングへの差込み方向に沿って傾斜する傾斜面を有した突起を成し、上記ハウジングに差し込まれた配線板状部材の係合部に係合して上記配線板状部材を係止する係止部分と、移動操作を受けることにより上記可動部を変位させる操作部分とが形成されて成り、
上記係止部分が上記配線板状部材を係止したもとで、上記操作部分に上記移動操作が加えられたとき、上記当接押圧部分が上記配線板状部材の厚み方向に沿った第１の方向に移動して上記配線板状部材における上記係合部が形成された部分を上記第１の方向に押圧変位させるとともに、上記係止部分が上記第１の方向とは逆の第２の方向に移動して上記配線板状部材の係合部との係合を解除することを特徴とするコネクタ装置。
【請求項２】
上記係合部材の可動部が、上記基部から弾性折返し屈曲部を介して伸びることを特徴とする請求項１記載のコネクタ装置。
【請求項３】
上記係合部材が、金属材料によって形成され、上記基部から上記ハウジングの外部へと伸びて上記配線基板に設けられた導体部分に半田付けされる半田付け部を有していることを特徴とする請求項１記載のコネクタ装置。
【請求項４】
上記複数のコンタクトの夫々の一端部が上記ハウジングにおける一対の対向端面部の一方から上記ハウジングの外部に突出して上記配線基板に設けられた配線端子に半田付けされ、上記係合部材の半田付け部が上記ハウジングにおける一対の対向端面部の他方から上記ハウジングの外部に突出して上記配線基板に設けられた導体部分に半田付けされることを特徴とする請求項３記載のコネクタ装置。
【請求項５】
上記係合部材の可動部における上記操作部分が、上記ハウジングの外部に臨む位置をとるものとされることを特徴とする請求項１記載のコネクタ装置。
【請求項６】
上記係合部材の可動部における上記当接押圧部分が、上記可動部における操作部分から伸びる第１の弾性片持板の自由端部に形成されるとともに、上記係合部材の可動部における係止部分が、上記可動部から伸びる第２の弾性片持板の自由端部に形成されることを特徴とする請求項１記載のコネクタ装置。
【請求項７】
上記第１の弾性片持板と上記第２の弾性片持板とが、上記係合部材の可動部における操作部分から同方向に伸びるものとされることを特徴とする請求項６記載のコネクタ装置。
【請求項８】
上記操作部分に上記移動操作が加えられたとき、上記第１の弾性片持板が上記ハウジングの部分に当接して上記当接押圧部分を上記第１の方向に移動させるとともに、上記第２の弾性片持板が上記第２の方向に変位して上記係止部分を上記第２の方向に移動させることを特徴とする請求項７記載のコネクタ装置。
【請求項９】
上記配線板状部材が上記ハウジングに上記板状部材差込み部を通じて差し込まれるとき、該配線板状部材の先端部分が上記係合部材の可動部における係止部分が有する上記傾斜面に当接して進み、上記係止部分を上記第２の方向に移動させることを特徴とする請求項１記載のコネクタ装置。
【請求項１０】
上記係合部材が、上記ハウジングにおける上記複数のコンタクトの配列方向の両端部の夫々に設けられることを特徴とする請求項１記載のコネクタ装置。
【発明の詳細な説明】
【技術分野】
【０００１】
本願の特許請求の範囲に記載された発明は、フレキシブル印刷配線基板（ＦＰＣ）やフレキシブル平板状ケーブル（ＦＦＣ）等とされる配線板状部材が装着されるもとで、装着された配線板状部材に設けられた接触端子部に接触接続されるコンタクトと装着された配線板状部材に対する係合係止及び係合係止解除を行う係合部材とを備えたコネクタ装置に関する。
【背景技術】
【０００２】
各種の電子機器に実装される比較的小型なフレキシブル印刷配線基板やフレキシブル平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接触端子部に接触接続される導電性のコンタクトを有していて、そのコンタクトを介して、配線板状部材に設けられた接触端子部を主配線基板に設けられた配線端子に電気的に接続する。
【０００３】
従来提案されている、例えば、フレキシブル平板状ケーブルとされる配線板状部材の主配線基板への取付けに用いられるコネクタ装置は、配線板状部材が差し込まれる差込み部を形成するものとされて主配線基板に配される、例えば、絶縁材料によって形成されたハウジングを有している。そして、絶縁材料によって形成されたハウジングを有したコネクタ装置は、そのハウジング内に配列配置されて設けられて主配線基板に設けられた配線端子に連結され、配線板状部材が差込み部を通じてハウジングに差し込まれるとき、その配線板状部材に設けられた複数の接触端子部に夫々対応するものとなる複数のコンタクトと、外部からの電磁波ノイズに対するシールド効果を得るため、ハウジングを部分的もしくは全体的に覆うものとして配されて主配線基板に設けられた接地端子に連結される導電性シェルとを備えたものとされることが多い。
【０００４】
斯かる従来のコネクタ装置にあっては、配線板状部材が差込み部を通じてハウジングに差し込まれたとき、自動的に、ハウジング内に設けられた複数のコンタクトが、差し込まれた配線板状部材に設けられた複数の接触端子部に夫々接触接続される。従って、配線板状部材が差込み部を通じてハウジングに適正に差し込まれるだけで、配線板状部材が主配線基板との電気的接続状態におかれることになる。
【０００５】
このような従来提案されているコネクタ装置にあっては、例えば、フレキシブル平板状ケーブルとされる配線板状部材が、主配線基板に配されたハウジングに差込み部を通じて差し込まれて、ハウジングに配された複数のコンタクトが、ハウジングに差し込まれた配線板状部材における複数の接触端子部に夫々接触接続され、それにより、配線板状部材が主配線基板との電気的接続状態におかれるにあたり、配線板状部材がハウジングから不所望に抜脱されるような事態が回避されなくてはならない。当然のことながら、ハウジングに配された複数のコンタクトがハウジングに差し込まれた配線板状部材における複数の接触端子部に夫々接触接続された状態が適正に維持されるためには、ハウジングに差込み部を通じて差し込まれた配線板状部材が、その状態を安定に維持することができ、ハウジングから不所望に抜脱されるような事態をまねかないものとされることが必要とされるのである。
【０００６】
そのため、上述のような、絶縁材料によって形成されたハウジングを有し、ハウジング内に配列配置されて設けられた複数のコンタクトとハウジングを部分的もしくは全体的に覆う導電性シェルとを備えたコネクタ装置に属するものであって、ハウジングに差込み部を通じて差し込まれた配線板状部材に係合して、当該配線板状部材のハウジングからの不所望な抜脱の阻止に関与する係止手段を備えたコネクタ装置が従来提案されている（例えば、特許文献１参照。）。
【０００７】
特許文献１に示されるコネクタ装置（コネクタ）にあっては、それが搭載される基板上に配されるハウジング(8) が備えられ、そのハウジング(8) を覆う金属で構成された導電性シェル（上側シールドシェル(9) 及び下側シールドシェル(10)）を構成する下側シールドシェル(10)における、ハウジング内に配列配置された複数のコンタクト（端子金具(7) ）の配列方向（方向（Y1))の両端部に、それらからハウジング内部に伸びる一対の係止手段（ロック部(22)) が設けられている。この係止手段を成すロック部(22)は、ハウジングによって保持される保持部(23)と、配線板状部材（フラットケーブル(2))に設けられた係止凹部(6) に係合して配線板状部材を係止する係止突起 (24a)が設けられた係止板(24)と、保持部と係止板とを連結して弾性変形することにより係止板を配線板状部材の厚み方向（厚さ方向（Y3))に変位させる弾性連結板(25)とをハウジング内に配されるものとして備え、さらに、弾性連結板からハウジングの外側に向かって延在せしめられた操作部(26)を備えている。
【０００８】
そして、配線板状部材がハウジングが配された基板の面と平行になるようにしてハウジングに差し込まれると、ハウジング内において、配線板状部材の下面が係止板に設けられた係止突起に当接し、一旦、係止突起を配線板状部材の下方に押し下げ、それにより弾性連結板を弾性変形させて係止板を配線板状部材の厚み方向において下方に変位させる。続いて、配線板状部材がさらにハウジング内に進入せしめられると、ハウジング内において、係止板に設けられた係止突起が配線板状部材の下面から外れて、配線板状部材に設けられた係止凹部に対応する位置をとり、それにより弾性連結板が復元して係止板を配線板状部材の厚み方向において上方に変位させ、それに伴って、係止突起が係止凹部に係合して配線板状部材を係止する。その結果、配線板状部材が、ハウジングからの不所望な抜脱が阻止される状態におかれる。
【０００９】
その後、係止突起が配線板状部材に設けられた係止凹部に係合して配線板状部材を係止したもとで、弾性連結板から延在せしめられた操作部が下方に押圧されると、それにより、ハウジング内において、弾性連結板が弾性変形せしめられて係止板を配線板状部材の厚み方向において下方に変位させ、それに伴って、係止突起が、配線板状部材の下方に押し下げられて、配線板状部材に設けられた係止凹部との係合を解除し、配線板状部材を係止状態から解放する。その結果、配線板状部材が、ハウジングから抜脱され得る状態におかれる。即ち、弾性連結板から延在せしめられた操作部を下方に押圧することにより、ハウジングに差し込まれた配線板状部材を係止板に設けられた係止突起による係止状態から解放することができることになる。
【先行技術文献】
【特許文献】
【００１０】
【特許文献１】特開２０１３−４３９２号公報（段落００３３〜００４５，図７〜９，１２，１３）
【発明の概要】
【発明が解決しようとする課題】
【００１１】
上述のような、ハウジングに差し込まれたフレキシブル平板状ケーブル等とされる配線板状部材のハウジングからの不所望な抜脱の阻止に関与する係止手段を備えた、配線板状部材の主配線基板への取付けに用いられるコネクタ装置として従来提案されているものにあっては、配線板状部材が、ハウジングが配された基板の面と平行になるようにしてハウジングに差し込まれて、係止手段を成すロック部における係止板に設けられた係止突起による係止状態のもとにおかれる直前のとき、さらには、ハウジングに差し込まれた配線板状部材をロック部における係止板に設けられた係止突起による係止状態から解放すべく、ロック部における弾性連結板から延在せしめられた操作部が下方に押圧されるとき、ハウジング内において、ロック部における係止板に設けられた係止突起が、配線板状部材に設けられた係止凹部に係合しない位置まで配線板状部材の下方に押し下げられる。
【００１２】
従って、配線板状部材が差し込まれたハウジング内においては、ロック部における係止板に設けられた係止突起が配線板状部材に設けられた係止凹部に係合しない位置まで配線板状部材の下方に押し下げられるに足るスペースが、配線板状部材の下側に形成されることが必要とされる。そして、ハウジングには、斯かる差し込まれた配線板状部材の下側となるスペースを内蔵すべく、ハウジングに差し込まれた配線板状部材の厚み方向の寸法、即ち、ハウジングが配された基板の面に直交する方向の寸法である厚み寸法を、ロック部における係止板に設けられた係止突起の配線板状部材の下側への押下げ移動に応じたものとすることが要求される。
【００１３】
このようなハウジングに対するその厚み寸法についての要求は、当該ハウジングを備えたコネクタ装置についての薄型化あるいは低背化の妨げとなり、基板に搭載されるコネクタ装置を十分な小型化及び薄型化が図られたものとすることが困難となってしまう。
【００１４】
斯かる点に鑑み、本願の特許請求の範囲に記載された発明は、フレキシブル印刷配線基板やフレキシブル平板状ケーブル等とされる配線板状部材の他の配線基板への取付けに用いられる、板状部材差込み部が設けられたハウジングと、ハウジングに配列配置されて設けられる複数のコンタクトと、ハウジングに差込み部を通じて差し込まれた配線板状部材に係合して当該配線板状部材のハウジングからの不所望な抜脱の阻止に関与する係止手段とを備えたコネクタ装置であって、ハウジング内に形成されるべきスペースを制限してハウジングの厚み寸法を低減することができ、それにより薄型化あるいは低背化を効果的に図ることができるものを提供する。
【課題を解決するための手段】
【００１５】
本願の特許請求の範囲における請求項１から請求項１０までのいずれかに記載された発明（以下、本発明という。）に係るコネクタ装置は、板状部材差込み部が設けられて配線基板上に配されるハウジングと、ハウジングに配列配置されて設けられ、配線基板に設けられた配線端子に連結される状態をとり、ハウジングに板状部材差込み部を通じて差し込まれた配線板状部材における複数の接触端子部に接触接続される複数のコンタクトと、ハウジングに設けられ、配線板状部材がハウジングに板状部材差込み部を通じて差し込まれたとき、配線板状部材に対する係合係止を行う係止状態と係合係止を解除する係止解除状態とを選択的にとる係合部材と、を備えて構成され、係合部材が、ハウジングに固定される基部とそれから伸びる可動部とを有していて、可動部に、ハウジングに差し込まれた配線板状部材に当接して配線板状部材を部分的に押圧変位させる当接押圧部分と、配線板状部材のハウジングへの差込み方向に沿って傾斜する傾斜面を有した突起を成し、ハウジングに差し込まれた配線板状部材の係合部に係合して配線板状部材を係止する係止部分と、移動操作を受けることにより可動部を変位させる操作部分とが形成されて成り、係止部分が配線板状部材を係止したもとで、操作部分に移動操作が加えられるとき、当接押圧部分が配線板状部材の厚み方向に沿った第１の方向に移動して配線板状部材における係合部の近傍の部分を第１の方向に押圧変位させるとともに、係止部分が第１の方向とは逆の第２の方向に移動して配線板状部材の係合部との係合を解除することを特徴とするものとされる。
【００１６】
特に、本願の特許請求の範囲における請求項６に記載された本発明に係るコネクタ装置にあっては、係合部材の可動部における当接押圧部分が、可動部における操作部分から伸びる第１の弾性片持板の自由端部に形成されるとともに、係合部材の可動部における係止部分が、可動部における操作部分から伸びる第２の弾性片持板の自由端部に形成されるものとされる。
【００１７】
また、本願の特許請求の範囲における請求項８に記載された本発明に係るコネクタ装置にあっては、その自由端部に当接押圧部分が形成される第１の弾性片持板とその自由端部に係止部分が形成される第２の弾性片持板とが、係合部材の可動部における操作部分から同方向に伸びるものとされたもとで、操作部分に移動操作が加えられたとき、第１の弾性片持板がハウジングの部分に当接して当接押圧部分を配線板状部材の厚み方向に沿った第１の方向に移動させるとともに、第２の弾性片持板が第１の方向とは逆の第２の方向に変位して係止部分を第２の方向に移動させる。
【００１８】
上述のような本発明に係るコネクタ装置にあっては、配線板状部材が配線基板上に配されるハウジングにそれに設けられた板状部材差込み部を通じて差し込まれると、ハウジングに配列配置された複数のコンタクトが差し込まれた配線板状部材における複数の接触端子部に接触接続されるとともに、ハウジングに設けられた係合部材が、ハウジング内において、差し込まれた配線板状部材を係合係止し、配線板状部材のハウジングからの不所望な抜脱を阻止する。そして、係合部材が配線板状部材を係合係止したもとで、係合部材に所定の操作が加えられると、配線板状部材を係合係止した係合部材が、ハウジング内において、配線板状部材に対する係合係止を解除して、配線板状部材のハウジングからの抜脱を可能とする。
【００１９】
ハウジングに設けられた係合部材は、ハウジングに固定される基部とそれから伸びる可動部とを有している。そして、可動部には、ハウジングに差し込まれた配線板状部材に当接して配線板状部材を部分的に押圧変位させる当接押圧部分と、配線板状部材のハウジングへの差込み方向に沿って傾斜する傾斜面を有した突起を成し、ハウジングに差し込まれた配線板状部材の係合部に係合して配線板状部材を係止する係止部分と、移動操作を受けることにより可動部を変位させる操作部分とが形成される。
【００２０】
このようなもとで、配線板状部材がハウジングにそれに設けられた板状部材差込み部を通じて差し込まれる際には、ハウジング内において、配線板状部材の先端部分が、係合部材の可動部における係止部分の傾斜面に当接して進み、係止部分を上述の第２の方向に押圧移動させるとともに、係止部分の傾斜面に沿って上述の第１の方向に変位して、係止部分を乗り越える。それにより、係止部分が配線板状部材の係合部に係合して配線板状部材を係止するものとされ、差し込まれた配線板状部材に対する係合部材による係合係止が行われる状態が得られる。
【００２１】
その後、係止部分が配線板状部材に対する係止状態をとるもとで、操作部分に移動操作が加えられたとき、当接押圧部分が上述の第１の方向に移動して配線板状部材における係合部が形成された部分を上述の第２の方向に押圧変位させるとともに、係止部分が上述の第２の方向に移動して配線板状部材の係合部との係合を解除する。それにより、差し込まれた配線板状部材に対する係合部材による係合係止の解除が行われる状態が得られる。
【００２２】
また、係合部材は、例えば、本願の特許請求の範囲における請求項６に記載された本発明に係るコネクタ装置の場合のように、その可動部における当接押圧部分が、可動部における操作部分から伸びる第１の弾性片持板の自由端部に形成されるとともに、その可動部における係止部分が、可動部における操作部分から伸びる第２の弾性片持板の自由端部に形成されるものとされる。
【００２３】
さらに、本願の特許請求の範囲における請求項８に記載された本発明に係るコネクタ装置にあっては、係合部材の可動部における当接押圧部分が、可動部における操作部分から伸びる第１の弾性片持板の自由端部に形成されるとともに、可動部における係止部分が、可動部における操作部分から伸びる第２の弾性片持板の自由端部に形成され、第１の弾性片持板と第２の弾性片持板とが操作部分から同方向に伸びるものとされたもとで、操作部分に移動操作が加えられたとき、第１の弾性片持板がハウジングの部分に当接して当接押圧部分を上述の第１の方向に移動させるとともに、第２の弾性片持板が上述の第２の方向に変位して係止部分を第２の方向に移動させる。
【発明の効果】
【００２４】
本発明に係るコネクタ装置においては、上述のように、配線板状部材が、ハウジングにそれに設けられた板状部材差込み部を通じて差し込まれて、係合部材による係合係止が行われる状態におかれるときには、ハウジング内において、配線板状部材における係合部が形成された部分が配線板状部材の厚み方向に沿った第１の方向に変位するとともに、係合部材の可動部における係止部分が第１の方向とは逆の第２の方向に押圧移動せしめられ、その後、係止部分が配線板状部材の係合部に係合して配線板状部材を係止する。また、配線板状部材に対する係合部材による係合係止が行われているもとで、配線板状部材に対する係合部材による係合係止を解除すべく、係合部材の可動部における操作部分に移動操作が加えられたときには、配線板状部材における係合部が形成された部分が第１の方向に押圧変位せしめられるとともに、係合部材の可動部における係止部分が第２の方向に移動して、配線板状部材の係合部との係合を解除する。
【００２５】
従って、配線板状部材が係合部材による係合係止が行われる状態におかれるとき及び  係合部材による係合係止が解除される状態におかれるときのいずれにおいても、配線板状部材における係合部が形成された部分が配線板状部材の厚み方向に沿った第１の方向に変位するとともに、係合部材の可動部における係止部分が第１の方向とは逆の第２の方向に移動することになる。その際、第１の方向及び第２の方向は、配線板状部材の厚み方向に沿った互いに逆の方向であるので、配線基板上に配されて配線板状部材が差し込まれるハウジングの厚み方向に沿った互いに逆の方向となる。
【００２６】
それゆえ、配線板状部材が係合部材による係合係止が行われる状態におかれるとき及び係合部材による係合係止が解除される状態におかれるときのいずれにおいても、そのために要される係合部材の可動部における係止部分の第２の方向への移動、即ち、ハウジングの厚み方向の移動は、配線板状部材における係合部が形成された部分が第２の方向とは逆の第１の方向に変位することにより、例えば、配線板状部材における係合部が形成された部分が第１の方向に変位しない場合における移動の半分程度とされる、比較的小なるもので済むことになる。それに伴い、ハウジング内において、係合部材の可動部における係止部分の第２の方向への移動を許容すべく形成される、ハウジングに差し込まれた配線板状部材から第２の方向側に形成されるスペースが、比較的小なるもので足りることになり、ハウジングの厚み寸法を低減することができることになる。
【００２７】
その結果、本発明に係るコネクタ装置にあっては、厚み寸法が低減されたハウジングを備えることができ、全体の小型化及び薄型化あるいは低背化を効果的に図ることができることになる。
【００２８】
特に、本願の特許請求の範囲における請求項６に記載された本発明に係るコネクタ装置にあっては、係合部材が、比較的簡単な構成をもって、その可動部における当接押圧部分及び係止部分を各々に必要とされる機能を的確に果たすことができるものとされる。
【００２９】
さらに、本願の特許請求の範囲における請求項８に記載された本発明に係るコネクタ装置にあっては、係合部材の可動部における当接押圧部分及び係止部分が、夫々、互いに逆方向とされる第１の方向及び第２の方向に円滑かつ確実に移動できるものとされる。
【図面の簡単な説明】
【００３０】
【図１】本発明に係るコネクタ装置の一例をそれに装着される状態におかれたフレキシブル印刷配線基板と共に示す斜視図である。
【図２】本発明に係るコネクタ装置の一例をそれに装着されたフレキシブル印刷配線基板と共に示す斜視図である。
【図３】本発明に係るコネクタ装置の一例をそれに装着されたフレキシブル印刷配線基板と共に示す平面図である。
【図４】本発明に係るコネクタ装置の一例をそれに装着されたフレキシブル印刷配線基板と共に示す正面図である。
【図５】配線基板上に配されたハウジングを有した本発明に係るコネクタ装置の一例にフレキシブル印刷配線基板が装着された状態を示す斜視図である。
【図６】本発明に係るコネクタ装置の一例が備える係合部材を示す斜視図である。
【図７】本発明に係るコネクタ装置の一例が備える係合部材を示す斜視図である。
【図８】図６に示される係合部材が本発明に係るコネクタ装置の一例が備えるハウジングに取り付けられた状態を示す部分斜視図である。
【図９】図６に示される係合部材が本発明に係るコネクタ装置の一例が備えるハウジングに取り付けられた状態を、ハウジングの一部を除去して示す部分斜視図である。
【図１０】図６に示される係合部材が本発明に係るコネクタ装置の一例が備えるハウジングに取り付けられ、その係合部材の可動部における操作部分に移動操作が加えられた状態を示す部分斜視図である。
【図１１】図６に示される係合部材が本発明に係るコネクタ装置の一例が備えるハウジングに取り付けられ、その係合部材の可動部における操作部分に移動操作が加えられた状態を、ハウジングの一部を除去して示す部分斜視図である。
【図１２】図３における XII−XII 線断面を示す断面図である。
【図１３】図３におけるXIII−XIII線断面の部分を示す断面図である。
【図１４】本発明に係るコネクタ装置の一例に装着されたフレキシブル印刷配線基板が本発明に係るコネクタ装置の一例が備える係合部材により係止された状態を示す部分断面図である。
【図１５】本発明に係るコネクタ装置の一例にフレキシブル印刷配線基板が装着されたもとで、本発明に係るコネクタ装置の一例が備える係合部材の可動部における操作部分に移動操作が加えられた状態を示す部分断面図である。
【図１６】本発明に係るコネクタ装置の一例にフレキシブル印刷配線基板が装着されたもとで、本発明に係るコネクタ装置の一例が備える係合部材の可動部における操作部分に移動操作が加えられた状態を示す断面図である。
【発明を実施するための形態】
【００３１】
本発明を実施するための形態は、以下に述べられる本発明についての実施例をもって説明される。
【実施例】
【００３２】
図１は、本発明に係るコネクタ装置の一例をそれに装着される状態におかれたフレキシブル印刷配線基板と共に示す。
【００３３】
図１において、本発明に係るコネクタ装置の一例を成すコネクタ装置１０は、合成樹脂等の絶縁材料によって形成されたハウジング１１を備えている。ハウジング１１には、その正面側端面部に板状部材差込み部１２が設けられており、板状部材差込み部１２からハウジング１１の内部へと板状部材収容空間が拡がっている。
【００３４】
ハウジング１１は、例えば、後述される図５に示される配線基板１３上に配され、その状態をもってコネクタ装置１０の全体が配線基板１３に取り付けられたものとされる。その際、ハウジング１１における正面側端面部とそれに対向する背面側端面部とに挟まれた一対の対向外面部のうちの一方が配線基板１３に対接する外面部とされて他方が解放された外面部とされる。以下においては、配線基板１３に対接するハウジング１１の一外面部を下方外面部１１ａといい、それに対向するハウジングの他外面部を上方外面部１１ｂという。そして、正面側端面部に設けられた板状部材差込み部１２を通じて、例えば、フレキシブル印刷配線基板１４が、配線板状部材を成すものとして、ハウジング１１に差し込まれ、コネクタ装置１０に装着される。
【００３５】
ハウジング１１には、その内部に、各々が弾性導電材料で形成された複数のコンタクト１５が、ハウジング１１の長手方向（左右方向）に沿って配列配置されて設けられている。複数のコンタクト１５は、配線板状部材を成すフレキシブル印刷配線基板１４に配列配置された複数の接触端子部１６に接触接続される信号用コンタクトとして設けられているが、他のフレキシブル印刷配線基板における複数の信号接続端子部及び接地接続部に接触接続される信号用及び接地用コンタクトとして用いられてもよい。複数のコンタクト１５の夫々には、後述される図３に示されるように、その一端部が、ハウジング１１の背面側端面部からその外部に突出する接続端子部１５ａを形成しており、接続端子部１５ａは、ハウジング１１の背面側端面部においてハウジング１１が配された配線基板に設けられた配線端子に、例えば、半田付けにより接続される。そして、複数のコンタクト１５は、例えば、ハウジング１１の背面側端面部側から、ハウジング１１の内部へと押圧挿入されて固定される。
【００３６】
これらの複数のコンタクト１５は、フレキシブル印刷配線基板１４が板状部材差込み部１２を通じてハウジング１１に差し込まれたとき、ハウジング１１に差し込まれたフレキシブル印刷配線基板１４における複数の接触端子部１６に夫々接触接続される。それにより、ハウジング１１に差し込まれたフレキシブル印刷配線基板１４における複数の接触端子部１６が、複数のコンタクト１５を介して、ハウジング１１が配された配線基板に設けられた配線端子に電気的に接続される。
【００３７】
また、コネクタ装置１０は、ハウジング１１における長手方向の両端部、即ち、板状部材差込み部１２をハウジング１１の長手方向において挟む一対の端部に夫々設けられた、例えば、金属材料によって形成された一対の係合部材１７及び１８を備えている。係合部材１７及び１８は、フレキシブル印刷配線基板１４が板状部材差込み部１２を通じてハウジング１１に差し込まれたとき、フレキシブル印刷配線基板１４に対する係合係止を行う係止状態とその係合係止を解除する係止解除状態とを選択的にとるためのものとして、各々の大部分がハウジング１１に形成された収容切欠き部１９及び２０に夫々配されている。
【００３８】
配線板状部材を成すフレキシブル印刷配線基板１４には、配列配置された複数の接触端子部１６をその配列方向において挟む一対の側縁部に切欠き係合部２１及び２２が夫々設けられている。そして、フレキシブル印刷配線基板１４は、それにおける複数の接触端子部１６が配された面をハウジング１１における上方外面部１１ｂ側に向けた状態をもって、ハウジング１１にそれに設けられた板状部材差込み部１２を通じて差し込まれる。それにより、図２（斜視図），図３（平面図）及び図４（正面図）に示されるように、コネクタ装置１０に配線板状部材を成すフレキシブル印刷配線基板１４が装着された状態が得られる。
【００３９】
図２，図３及び図４に示されるようにフレキシブル印刷配線基板１４が板状部材差込み部１２を通じて差し込まれるハウジング１１は、図５に示されるように、配線基板１３上に配されて固定され、それにより、ハウジング１１を備えたコネクタ装置１０の全体が、配線基板１３に取り付けられる。配線基板１３上に配されたハウジング１１に対するフレキシブル印刷配線基板１４の板状部材差込み部１２を通じた差込みは、フレキシブル印刷配線基板１４が、それにおける複数の接触端子部１６が配された面をハウジング１１における上方外面部１１ｂ側に向けたもとで、配線基板１３のハウジング１１が配された面に実質的に平行になる姿勢をとるものとされて行なわれる。それにより、ハウジング１１に差し込まれたフレキシブル印刷配線基板１４の厚み方向が、配線基板１３のハウジング１１が配された面に実質的に直交してハウジング１１における下方外面部１１ａ及び上方外面部１１ｂの両者を貫通する方向であるハウジング１１の厚み方向に一致するものとされる。
【００４０】
係合部材１７は、例えば、弾性金属板材に打抜き屈曲加工が施されて形成され、図６に示されるように、ハウジング１１に形成された収容切欠き部１９の近傍においてハウジング１１に固定される基部２５と基部２５から弾性折返し屈曲部２６を介して伸びる可動部２７とを有している。基部２５には、それから伸びてハウジング１１の正面側端面部からその外部に突出し、図５に示されるように、ハウジング１１の正面側端面部側において配線基板１３のハウジング１１が配された面に設けられた導体部分１３ａに半田付けされる半田付け部２８が設けられている。半田付け部２８は、配線基板１３における導体部分１３ａに半田付けされることにより、配線基板１３に対するその上に配されたハウジング１１の堅固な固定に貢献する。また、可動部２７は、ハウジング１１に形成された収容切欠き部１９内に配されるものとされており、その可動部２７には、ハウジング１１に差し込まれたフレキシブル印刷配線基板１４に当接してフレキシブル印刷配線基板１４を部分的に押圧変位させる当接押圧部分３０と、ハウジング１１に差し込まれたフレキシブル印刷配線基板１４に設けられた切欠き係合部２１に係合してフレキシブル印刷配線基板１４を係止する係止部分３１と、移動操作を受けることにより可動部２７を変位させる操作部分３２とが形成されている。
【００４１】
可動部２７における当接押圧部分３０は、可動部２７における操作部分３２から伸びる弾性片持板３３の自由端部に形成されており、また、可動部２７における係止部分３１は、可動部２７における操作部分３２から伸びる弾性片持板３４の自由端部に形成されていて、フレキシブル印刷配線基板１４のハウジング１１への差込み方向に沿って傾斜する傾斜面３１ａを有した突起を成している。係止部分３１が形成する突起は、ハウジング１１における上方外面部１１ｂに向かって突出し、斯かる突起が有する傾斜面３１ａは、フレキシブル印刷配線基板１４のハウジング１１への差込み方向に沿って上昇傾斜するものとされている。そして、弾性片持板３３と弾性片持板３４とは、可動部２７における操作部分３２から、基部２５から離隔する向きをもって同方向に伸びるものとされている。
【００４２】
同様に、係合部材１８は、例えば、弾性金属板材に打抜き屈曲加工が施されて形成され、図７に示されるように、ハウジング１１に形成された収容切欠き部２０の近傍においてハウジング１１に固定される基部３５と基部３５から弾性折返し屈曲部３６を介して伸びる可動部３７とを有している。基部３５には、それから伸びてハウジング１１の正面側端面部からその外部に突出し、図５に示されるように、ハウジング１１の正面側端面部側において配線基板１３のハウジング１１が配された面に設けられた導体部分１３ａに半田付けされる半田付け部３８が設けられている。半田付け部３８も、配線基板１３における導体部分１３ａに半田付けされることにより、配線基板１３に対するその上に配されたハウジング１１の堅固な固定に貢献する。また、可動部３７は、ハウジング１１に形成された収容切欠き部２０内に配されるものとされており、その可動部３７には、ハウジング１１に差し込まれたフレキシブル印刷配線基板１４に当接してフレキシブル印刷配線基板１４を部分的に押圧変位させる当接押圧部分４０と、ハウジング１１に差し込まれたフレキシブル印刷配線基板１４に設けられた切欠き係合部２２に係合してフレキシブル印刷配線基板１４を係止する係止部分４１と、移動操作を受けることにより可動部３７を変位させる操作部分４２とが形成されている。
【００４３】
可動部３７における当接押圧部分４０は、可動部３７における操作部分４２から伸びる弾性片持板４３の自由端部に形成されており、また、可動部３７における係止部分４１は、可動部３７における操作部分４２から伸びる弾性片持板４４の自由端部に形成されていて、フレキシブル印刷配線基板１４のハウジング１１への差込み方向に沿って傾斜する傾斜面４１ａを有した突起を成している。係止部分４１が形成する突起は、ハウジング１１における上方外面部１１ｂに向かって突出し、斯かる突起が有する傾斜面４１ａは、フレキシブル印刷配線基板１４のハウジング１１への差込み方向に沿って上昇傾斜するものとされている。そして、弾性片持板４３と弾性片持板４４とは、可動部３７における操作部分４２から、基部３５から離隔する向きをもって同方向に伸びるものとされている。
【００４４】
ハウジング１１における長手方向の一対の端部の一方に取り付けられた係合部材１７にあっては、その可動部２７における操作部分３２に移動操作が加えられていないときには、図８及び図９（ハウジング１１の上方外面部１１ｂを形成する部分が除去されている。）に示されるように、可動部２７における当接押圧部分３０が形成された自由端部を有する弾性片持板３３が、ハウジング１１における下方外面部１１ａを形成する部分の内面に近接した位置をとり、また、可動部２７における係止部分３１が形成された自由端部を有する弾性片持板３４が、ハウジング１１における下方外面部１１ａを形成する部分に形成された透孔１１ｃに対応した位置をとる。そして、弾性片持板３３と弾性片持板３４とは、ハウジング１１の厚み方向における位置を同じにして相互隣接するものとされる。
【００４５】
それに対して、可動部２７における操作部分３２に移動操作が加えられたときには、図１０及び図１１（ハウジング１１の上方外面部１１ｂを形成する部分が除去されている。  ）に示されるように、可動部２７における当接押圧部分３０が形成された自由端部を有する弾性片持板３３が、ハウジング１１における下方外面部１１ａに向かう方向に移動せしめられて、ハウジング１１における下方外面部１１ａを形成する部分の内面に当接し、それにより、その自由端部に形成された当接押圧部分３０を、ハウジング１１における下方外面部１１ａから離隔する方向、即ち、ハウジング１１における上方外面部１１ｂに向かう方向に移動させる。また、それとともに、可動部２７における係止部分３１が形成された自由端部を有する弾性片持板３４が、ハウジング１１における下方外面部１１ａを形成する部分に形成された透孔１１ｃを通じてハウジング１１における下方外面部１１ａに向かう方向に移動せしめられ、それに伴って、その自由端部に形成された係止部分３１を、ハウジング１１における下方外面部１１ａに向かう方向に移動させる。
【００４６】
また、図示は省略されているが、ハウジング１１における長手方向の一対の端部の他方に取り付けられた係合部材１８にあっても、上述の係合部材１７の場合と同様に、その可動部３７における操作部分４２に移動操作が加えられていないときには、可動部３７における当接押圧部分４０が形成された自由端部を有する弾性片持板４３が、ハウジング１１における下方外面部１１ａを形成する部分の内面に近接した位置をとり、また、可動部３７における係止部分４１が形成された自由端部を有する弾性片持板４４が、ハウジング１１における下方外面部１１ａを形成する部分に形成された透孔に対応した位置をとる。そして、弾性片持板４３と弾性片持板４４とは、ハウジング１１の厚み方向における位置を同じにして相互隣接するものとされる。
【００４７】
それに対して、可動部３７における操作部分４２に移動操作が加えられたときには、可動部３７における当接押圧部分４０が形成された自由端部を有する弾性片持板４３が、ハウジング１１における下方外面部１１ａに向かう方向に移動せしめられて、ハウジング１１における下方外面部１１ａを形成する部分の内面に当接し、それにより、その自由端部に形成された当接押圧部分４０を、ハウジング１１における下方外面部１１ａから離隔する方向、即ち、ハウジング１１における上方外面部１１ｂに向かう方向に移動させる。また、それとともに、可動部３７における係止部分４１が形成された自由端部を有する弾性片持板４４が、ハウジング１１における下方外面部１１ａを形成する部分に形成された透孔を通じてハウジング１１における下方外面部１１ａに向かう方向に移動せしめられ、それに伴って、その自由端部に形成された係止部分４１を、ハウジング１１における下方外面部１１ａに向かう方向に移動させる。
【００４８】
コネクタ装置１０のハウジング１１内に配列配置された複数のコンタクト１５の夫々は、例えば、図３における XII−XII 線断面を示す図１２に示されるように、ハウジング１１に固定される固定部５１と固定部５１からハウジング１１に設けられた板状部材差込み部１２に向かって伸びる屈曲アーム部５２とを有している。固定部５１からは、接続端子部１５ａがハウジング１１の外部へと伸びており、また、屈曲アーム部５２には、その先端部分に接点部５３が形成されている。そして、フレキシブル印刷配線基板１４が板状部材差込み部１２を通じてハウジング１１に差し込まれたときには、コンタクト１５における屈曲アーム部５２の先端部分に形成された接点部５３が、ハウジング１１に差し込まれたフレキシブル印刷配線基板１４における複数の接触端子部１６のうちの対応するものに接触接続される。
【００４９】
フレキシブル印刷配線基板１４が板状部材差込み部１２を通じてハウジング１１に差し込まれたもとにあっては、図３におけるXIII−XIII線断面を部分的に示す図１３に示されるように、ハウジング１１における長手方向の一対の端部の一方において、それに取り付けられた係止部材１７の可動部２７における操作部分３２から伸びる弾性片持板３３の自由端部に形成された当接押圧部分３０が、ハウジング１１における下方外面部１１ａを形成する部分の内面と差し込まれたフレキシブル印刷配線基板１４における切欠き係合部２１が形成された部分５５との間に位置するものとされる。同様に、ハウジング１１における長手方向の一対の端部の他方においても、それに取り付けられた係止部材１８の可動部３７における操作部分４２から伸びる弾性片持板４３の自由端部に形成された当接押圧部分４０が、ハウジング１１における下方外面部１１ａを形成する部分の内面と差し込まれたフレキシブル印刷配線基板１４における切欠き係合部２２が形成された部分との間に位置するものとされる。
【００５０】
また、フレキシブル印刷配線基板１４が板状部材差込み部１２を通じてハウジング１１に差し込まれたもとにあっては、図１４に示されるように、ハウジング１１における長手方向の一対の端部の一方において、それに取り付けられた係止部材１７の可動部２７における操作部分３２から伸びる弾性片持板３４の自由端部に形成された係止部分３１が、板状部材差込み部１２を通じて差し込まれたフレキシブル印刷配線基板１４における切欠き係合部２１に係合して、フレキシブル印刷配線基板１４を係止する状態をとる。同様に、ハウジング１１における長手方向の一対の端部の他方においても、それに取り付けられた係止部材１８の可動部３７における操作部分４２から伸びる弾性片持板４４の自由端部に形成された係止部分４１が、板状部材差込み部１２を通じて差し込まれたフレキシブル印刷配線基板１４における切欠き係合部２２に係合して、フレキシブル印刷配線基板１４を係止する状態をとる。
【００５１】
このようにして、係止部材１７における係止部分３１がフレキシブル印刷配線基板１４における切欠き係合部２１に係合してフレキシブル印刷配線基板１４を係止するとともに、係止部材１８における係止部分４１がフレキシブル印刷配線基板１４における切欠き係合部２２に係合してフレキシブル印刷配線基板１４を係止することにより、係止部材１７及び１８が、板状部材差込み部１２を通じてハウジング１１に差し込まれたフレキシブル印刷配線基板１４に対する係合係止を行う係止状態をとることになる。それにより、ハウジング１１に差し込まれたフレキシブル印刷配線基板１４についてのハウジング１１からの不所望な抜脱が阻止される。
【００５２】
上述のように、ハウジング１１に差し込まれたフレキシブル印刷配線基板１４が係止部材１７及び１８による係止状態のもとにおかれるにあたっては、フレキシブル印刷配線基板１４が板状部材差込み部１２を通じてハウジング１１に差し込まれるとき、ハウジング１１内において、フレキシブル印刷配線基板１４の先端部分が、係合部材１７の可動部２７における係止部分３１の傾斜面３１ａ及び係合部材１８の可動部３７における係止部分４１の傾斜面４１ａに当接して進み、係止部分３１を、ハウジング１１における下方外面部１１ａを形成する部分に形成された透孔１１ｃを通じてハウジング１１における下方外面部１１ａに向かう方向に移動させるとともに、係止部分３１の傾斜面３１ａに沿ってハウジング１１における上方外面部１１ｂに向かう方向に変位し、同時に、係止部分４１を、ハウジング１１における下方外面部１１ａを形成する部分に形成された透孔を通じてハウジング１１における下方外面部１１ａに向かう方向に移動させるとともに、係止部分４１の傾斜面４１ａに沿ってハウジング１１における上方外面部１１ｂに向かう方向に変位する。それにより、ハウジング１１内を進むフレキシブル印刷配線基板１４の先端部分が、係合部材１７の可動部２７における係止部分３１及び係合部材１８の可動部３７における係止部分４１を乗り越え、図１４に示されるように、係合部材１７の可動部２７における係止部分３１が、フレキシブル印刷配線基板１４における切欠き係合部２１にハウジング１１における下方外面部１１ａ側から係合するとともに、図示は省略されているが、係合部材１８の可動部３７における係止部分４１が、フレキシブル印刷配線基板１４おける切欠き係合部２２にハウジング１１における下方外面部１１ａ側から係合する状態がとられる。
【００５３】
その後、係止部材１７がハウジング１１に差し込まれたフレキシブル印刷配線基板１４に対する係止状態をとるもとで、係止部材１７の可動部２７における操作部分３２に、それをハウジング１１における下方外面部１１ａに向かう方向に移動させる移動操作が加えられると、図１５に示されるように、可動部２７における当接押圧部分３０が形成された自由端部を有する弾性片持板３３が、ハウジング１１における下方外面部１１ａに向かう方向に移動せしめられて、ハウジング１１における下方外面部１１ａを形成する部分の内面に当接し、それにより、その自由端部に形成された当接押圧部分３０を、ハウジング１１における下方外面部１１ａから離隔する方向、即ち、ハウジング１１における上方外面部１１ｂに向かう方向に移動させる。それにより、ハウジング１１における上方外面部１１ｂに向かう方向に移動する当接押圧部分３０が、フレキシブル印刷配線基板１４における切欠き係合部２１が形成された部分５５に当接して、それをハウジング１１における上方外面部１１ｂに向かう方向に移動させる。また、それとともに、図１６に示されるように、可動部２７における係止部分３１が形成された自由端部を有する弾性片持板３４が、ハウジング１１における下方外面部１１ａを形成する部分に形成された透孔１１ｃを通じてハウジング１１における下方外面部１１ａに向かう方向に移動せしめられ、それに伴って、その自由端部に形成された係止部分３１を、ハウジング１１における下方外面部１１ａに向かう方向に移動させる。それにより、ハウジング１１における下方外面部１１ａに向かう方向に移動する係止部分３１が、フレキシブル印刷配線基板１４における切欠き係合部２１との係合を解除する。
【００５４】
同様に、係止部材１８がハウジング１１に差し込まれたフレキシブル印刷配線基板１４に対する係止状態をとるもとで、係止部材１８の可動部３７における操作部分４２に、それをハウジング１１における下方外面部１１ａに向かう方向に移動させる移動操作が加えられると、可動部３７における当接押圧部分４０が形成された自由端部を有する弾性片持板４３が、ハウジング１１における下方外面部１１ａに向かう方向に移動せしめられて、ハウジング１１における下方外面部１１ａを形成する部分の内面に当接し、それにより、その自由端部に形成された当接押圧部分４０を、ハウジング１１における下方外面部１１ａから離隔する方向、即ち、ハウジング１１における上方外面部１１ｂに向かう方向に移動させる。それにより、ハウジング１１における上方外面部１１ｂに向かう方向に移動する当接押圧部分４０が、フレキシブル印刷配線基板１４における切欠き係合部２２が形成された部分に当接して、それをハウジング１１における上方外面部１１ｂに向かう方向に移動させる。また、それとともに、可動部３７における係止部分４１が形成された自由端部を有する弾性片持板４４が、ハウジング１１における下方外面部１１ａを形成する部分に形成された透孔を通じてハウジング１１における下方外面部１１ａに向かう方向に移動せしめられ、それに伴って、その自由端部に形成された係止部分４１を、ハウジング１１における下方外面部１１ａに向かう方向に移動させる。それにより、ハウジング１１における下方外面部１１ａに向かう方向に移動する係止部分４１が、フレキシブル印刷配線基板１４における切欠き係合部２２との係合を解除する。
【００５５】
このようにして、係止部材１７の可動部２７における係止部分３１がフレキシブル印刷配線基板１４における切欠き係合部２１との係合を解除し、係止部材１８の可動部３７における係止部分４１がフレキシブル印刷配線基板１４における切欠き係合部２２との係合を解除すると、係止部材１７及び１８によるハウジング１１に差し込まれたフレキシブル印刷配線基板１４に対する係止状態が解除されることになり、ハウジング１１に差し込まれたフレキシブル印刷配線基板１４がハウジング１１から意図的に引き出され得る状態におかれる。
【００５６】
なお、上述の例にあっては、フレキシブル印刷配線基板１４が一対の切欠き係合部２１及び２２が設けられたものとされているが、フレキシブル印刷配線基板１４は、一対の切欠き係合部２１及び２２に代えて、一対の係合孔が設けられたものとされてもよく、斯かる場合にも、上述と同様にして、係合部材１７の可動部２７における係止部分３１及び係合部材１８の可動部３７における係止部分４１によるフレキシブル印刷配線基板１４に対する係止及び係止の解除が行われる。
【００５７】
また、上述の本発明に係るコネクタ装置の一例を成すコネクタ装置１０にあっては、係合部材１７の可動部２７における係止部分３１及び係合部材１８の可動部３７における係止部分４１の夫々が、ハウジング１１における上方外面部１１ｂに向かって突出する突起を成し、フレキシブル印刷配線基板１４のハウジング１１への差込み方向に沿って上昇傾斜する傾斜面を有するものとされていて、フレキシブル印刷配線基板１４に設けられた切欠き係合部２１及び２２の夫々との係合を解除する際には、ハウジング１１における下方外面部１１ａに向かう方向に移動するものとされているが、本発明に係るコネクタ装置にあっては、係合部材１７の可動部２７における係止部分３１及び係合部材１８の可動部３７における係止部分４１の夫々が、ハウジング１１における下方外面部１１ａに向かって突出する突起を成し、フレキシブル印刷配線基板１４のハウジング１１への差込み方向に沿って下降傾斜する傾斜面を有するものとされ、フレキシブル印刷配線基板１４に設けられた切欠き係合部２１及び２２の夫々との係合を解除する際には、ハウジング１１における上方外面部１１ｂに向かう方向に移動するものとされるように構成することも可能である。
【００５８】
上述のようなコネクタ装置１０が用いられてそれにおけるハウジング１１に配線板状部材を成すフレキシブル印刷配線基板１４が差し込まれるもとにあっては、フレキシブル印刷配線基板１４をコネクタ装置１０におけるハウジング１１に板状部材差込み部１２を通じて差し込むだけで、ハウジング１１に差し込まれたフレキシブル印刷配線基板１４における複数の接触端子部１６が、複数のコンタクト１５を介して、ハウジング１１が配された配線基板１３に設けられた信号端子部に電気的に接続されるとともに、ハウジング１１に差し込まれたフレキシブル印刷配線基板１４が、係合部材１７及び１８によって適正に係合係止され、フレキシブル印刷配線基板１４のハウジング１１からの不所望な抜脱が阻止される状態を得ることができる。
【００５９】
そして、コネクタ装置１０にあっては、フレキシブル印刷配線基板１４が、ハウジング１１にそれに設けられた板状部材差込み部１２を通じて差し込まれて、係合部材１７及び１８による係合係止が行われる状態におかれるときには、ハウジング１１内において、フレキシブル印刷配線基板１４における切欠き係合部２１及び２２が形成された部分が、フレキシブル印刷配線基板１４の厚み方向に沿った、ハウジング１１における上方外面部１１ｂに向かう方向に変位するとともに、係合部材１７の可動部２７における係止部分３１及び係合部材１８の可動部３７における係止部分４１が、ハウジング１１における下方外面部１１ａに向かう方向に押圧移動せしめられ、その後、係止部分３１及び４１がフレキシブル印刷配線基板１４における切欠き係合部２１及び２２に夫々係合してフレキシブル印刷配線基板１４を係止する。また、フレキシブル印刷配線基板１４に対する係合部材１７及び１８による係合係止が行われているもとで、フレキシブル印刷配線基板１４に対する係合部材１７及び１８による係合係止を解除すべく、係合部材１７の可動部２７における操作部分３２に移動操作が加えられるとともに係合部材１８の可動部３７における操作部分４２に移動操作が加えられたときには、フレキシブル印刷配線基板１４における切欠き係合部２１及び２２が形成された部分が、ハウジング１１における上方外面部１１ｂに向かう方向に変位せしめられるとともに、係合部材１７の可動部２７における係止部分３１及び係合部材１８の可動部３７における係止部分４１が、ハウジング１１における下方外面部１１ａに向かう方向に移動して、フレキシブル印刷配線基板１４における切欠き係合部２１及び２２との係合を夫々解除する。
【００６０】
従って、フレキシブル印刷配線基板１４が係合部材１７及び１８による係合係止が行われる状態におかれるとき及び係合部材１７及び１８による係合係止が解除される状態におかれるときのいずれにおいても、フレキシブル印刷配線基板１４における切欠き係合部２１及び２２が形成された部分が、フレキシブル印刷配線基板１４の厚み方向に沿った、ハウジング１１における上方外面部１１ｂに向かう方向に変位するとともに、係合部材１７の可動部２７における係止部分３１及び係合部材１８の可動部３７における係止部分４１が、ハウジング１１における下方外面部１１ａに向かう方向に移動することになる。その際、ハウジング１１における上方外面部１１ｂに向かう方向及びハウジング１１における下方外面部１１ａに向かう方向は、フレキシブル印刷配線基板１４の厚み方向に沿った互いに逆の方向であるので、配線基板１３上に配されてフレキシブル印刷配線基板１４が差し込まれるハウジング１１の厚み方向に沿った互いに逆の方向となる。
【００６１】
それゆえ、フレキシブル印刷配線基板１４が係合部材１７及び１８による係合係止が行われる状態におかれるとき及び係合部材１７及び１８による係合係止が解除される状態におかれるときのいずれにおいても、そのために要される係合部材１７の可動部２７における係止部分３１及び係合部材１８の可動部３７における係止部分４１のハウジング１１における下方外面部１１ａに向かう方向への移動、即ち、ハウジング１１の厚み方向の移動は、フレキシブル印刷配線基板１４における切欠き係合部２１及び２２が形成された部分がハウジング１１における上方外面部１１ｂに向かう方向に変位することにより、例えば、フレキシブル印刷配線基板１４における切欠き係合部２１及び２２が形成された部分がハウジング１１における上方外面部１１ｂに向かう方向に変位しない場合における移動の半分程度とされる、比較的小なるもので済むことになる。それに伴い、ハウジング１１内において、係合部材１７の可動部２７における係止部分３１及び係合部材１８の可動部３７における係止部分４１のハウジング１１における下方外面部１１ａに向かう方向への移動を許容すべく形成される、ハウジングに差し込まれたフレキシブル印刷配線基板１４からハウジング１１における下方外面部１１ａ側に形成されるスペースが、比較的小なるもので足りることになり、ハウジング１１の厚み寸法を低減することができることになる。
【００６２】
その結果、コネクタ装置１０にあっては、厚み寸法が低減されたハウジング１１を備えることができ、全体の小型化及び薄型化あるいは低背化を効果的に図ることができることになる。
【００６３】
特に、係合部材１７の可動部２７における当接押圧部分３０が、可動部２７における操作部分３２から伸びる弾性片持板３３の自由端部に形成されるとともに、係合部材１７の可動部２７における係止部分３１が、可動部２７における操作部分３２から伸びる弾性片持板３４の自由端部に形成されており、また、係合部材１８の可動部３７における当接押圧部分４０が、可動部３７における操作部分４２から伸びる弾性片持板４３の自由端部に形成されるとともに、係合部材１８の可動部３７における係止部分４１が、可動部３７における操作部分４２から伸びる弾性片持板４４の自由端部に形成されていることにより、係合部材１７及び１８の夫々は、比較的簡単な構成をもって、可動部２７における当接押圧部分３０及び係止部分３１、及び、可動部３７における当接押圧部分４０及び係止部分４１を、それらの各々に必要とされる機能を的確に果たさせることができるものとなる。
【００６４】
さらに、係合部材１７の可動部２７における当接押圧部分３０が自由端部に形成された弾性片持板３３と係合部材１７の可動部２７における係止部分３１が自由端部に形成された弾性片持板３４とが、操作部分３２から同方向に伸びるものとされるとともに、係合部材１８の可動部３７における当接押圧部分４０が自由端部に形成された弾性片持板４３と係合部材１８の可動部３７における係止部分４１が自由端部に形成された弾性片持板４４とが、操作部分４２から同方向に伸びるものとされたもとで、操作部分３２に移動操作が加えられたとき、弾性片持板３３がハウジング１１の部分に当接して当接押圧部分３０をハウジング１１における上方外面部１１ｂに向かう方向に移動させるとともに、弾性片持板３４がハウジング１１における下方外面部１１ａに向かう方向に変位して係止部分３１を下方外面部１１ａに向かう方向に移動させ、また、操作部分４２に移動操作が加えられたとき、弾性片持板４３がハウジング１１の部分に当接して当接押圧部分４０をハウジング１１における上方外面部１１ｂに向かう方向に移動させるとともに、弾性片持板４４がハウジング１１における下方外面部１１ａに向かう方向に変位して係止部分４１を下方外面部１１ａに向かう方向に移動させるので、係合部材１７の可動部２７における当接押圧部分３０及び係止部分３１、及び、係合部材１８の可動部３７における当接押圧部分４０及び係止部分４１は、夫々、互いに逆方向とされるハウジング１１における上方外面部１１ｂに向かう方向及びハウジング１１における下方外面部１１ａに向かう方向に円滑かつ確実に移動できるものとなる。
【産業上の利用可能性】
【００６５】
以上のような本発明に係るコネクタ装置は、例えば、フレキシブル印刷配線基板等とされる配線板状部材の主配線基板への取付けに用いられる、板状部材差込み部が設けられたハウジングと、ハウジングに配列配置されて設けられる複数のコンタクトと、ハウジングに設けられ、配線板状部材がハウジングに差し込まれたとき、配線板状部材に対する係止状態と係止解除状態とを選択的にとる係合部材とを備えたコネクタ装置であって、ハウジング内に形成されるべきスペースを制限してハウジングの厚み寸法を低減することができ、それにより薄型化あるいは低背化を効果的に図ることができるものとして、様々な電子機器等に広く適用され得るものである。
【符号の説明】
【００６６】
１０・・・コネクタ装置，  １１・・・ハウジング，  １２・・・板状部材差込み部，  １３・・・配線基板，  １４・・・フレキシブル印刷配線基板，  １５・・・コンタクト，  １５ａ・・・接続端子部，  １６・・・接触端子部，  １７，１８・・・係合部材，  １９，２０・・・収容切欠き部，  ２１，２２・・・切欠き係合部，  ２５，３５・・・基部，  ２６，３６・・・弾性折返し屈曲部，  ２７, ３７・・・可動部，  ２８，３８・・・半田付け部，  ３０，４０・・・当接押圧部分，  ３１，４１・・・係止部分，  ３１ａ，４１ａ・・・傾斜面，  ３２，４２・・・操作部分，  ３３，３４，４３，４４・・・弾性片持板，  ５１・・・固定部，  ５２・・・屈曲アーム部，  ５３・・・接点部
【図１】
2014179300.tif 000003
【図２】
2014179300.tif 000004
【図３】
2014179300.tif 000005
【図４】
2014179300.tif 000006
【図５】
2014179300.tif 000007
【図６】
2014179300.tif 000008
【図７】
2014179300.tif 000009
【図８】
2014179300.tif 000010
【図９】
2014179300.tif 000011
【図１０】
2014179300.tif 000012
【図１１】
2014179300.tif 000013
【図１２】
2014179300.tif 000014
【図１３】
2014179300.tif 000015
【図１４】
2014179300.tif 000016
【図１５】
2014179300.tif 000017
【図１６】
2014179300.tif 000018